(57)【要約】【課題】水素貯蔵容器として、比較的軽量な複数の中空ガラス体を用いるとともに、複数の中空ガラス体の内部に封入された水素を効率よく放出可能な水素供給装置を提供する。【解決手段】水素供給装置１００は、高圧水素が封入された多数の中空ガラス体２０が充填されたケース１０と、ケース１０内に設置された複数の赤外線ランプ３０と、複数の赤外線ランプ３０を回転移動させるための駆動装置４０と、水素供給装置１００の全体の動作を制御するための制御ユニット５０とを備える。駆動装置４０によって、複数の赤外線ランプ３０を雄ネジシャフト１６に沿って回転移動させることによって、ケース１０内に充填された各中空ガラス体２０に順次照射光を照射し、各中空ガラス体２０の内部に封入された水素を順次放出させる。【選択図】図１
2008106789.tif 000002
【特許請求の範囲】
【請求項１】
水素供給装置であって、
所定波長を有する照射光が照射されることによって、水素が透過可能となるガラスからなる中空ガラス体であって、該中空ガラス体の内部に、該中空がラス体の外部よりも高圧の水素が封入された前記中空ガラス体と、
複数の前記中空ガラス体が充填され、前記複数の中空ガラス体から放出された水素を、外部に供給するための供給口を有する容器と、
前記容器内に設置され、前記中空ガラス体に対して、前記照射光を照射する照射体と、
前記照射体を、前記容器に対して、相対的に移動させる駆動部と、
前記駆動部を制御する駆動制御部と、
を備える水素供給装置。
【請求項２】
請求項１記載の水素供給装置であって、
前記ガラスは、鉄系材料を含み、
前記所定波長は、赤外線領域の波長である、
水素供給装置。
【請求項３】
請求項１または２記載の水素供給装置であって、
前記駆動部は、前記照射体を、前記容器内で回転させつつ移動させる、
水素供給装置。
【請求項４】
請求項３記載の水素供給装置であって、
前記照射体は、略棒状の形状を有し、前記照射光を照射する複数のランプからなり、
前記複数のランプは、前記容器の中心軸を中心として、放射状に配置されている、
水素供給装置。
【請求項５】
請求項３記載の水素供給装置であって、
前記照射体は、前記中空ガラス体が通過可能な貫通孔を備える平板状部材からなる、
水素供給装置。
【請求項６】
請求項１ないし５のいずれかに記載の水素供給装置であって、
前記供給口は、前記容器の内部から外部への水素の供給時に、前記容器内に存在する塵埃を除去するためのフィルタを備える、
水素供給装置。
【発明の詳細な説明】
【技術分野】
【０００１】
本発明は、水素供給装置に関するものである。
【背景技術】
【０００２】
従来、水素供給装置には、水素の供給源として、水素を貯蔵するための水素貯蔵容器が備えられる。そして、この水素貯蔵容器としては、金属タンクや、水素吸蔵合金タンクや、カーボン繊維タンク等が用いられている。このような水素貯蔵容器は、比較的重量が重いため、軽量化が求められている。近年では、水素貯蔵容器の軽量化を図るため、上述した各種タンクの代わりに、ガラス細管を用いる技術が提案されている（下記非特許文献１，２参照）。
【０００３】
そして、例えば、下記非特許文献１には、複数のガラス細管を束状にしたものを筒状のケース内に収納し、これらの周囲から、ヒータによって各ガラス細管を加熱して、ガラス細管内に充填された水素を放出させる構成が記載されている。
【０００４】
【非特許文献１】A.F.Chabak "Developing Hydrogen Accumulation with High Capacity and Instant Supplying it to Fuel Cells" International Forum <Hydrogen Technologies for Energy Production> 6-10 February 2006 Moscow
【非特許文献２】Douglas B. Rapp,James E.Shelby "Photo-induced hydrogen outgassing of glass" Journal of Non-Crystalline Solids 349(2004) p.254-259
【発明の開示】
【発明が解決しようとする課題】
【０００５】
しかし、上記非特許文献１に記載された構成では、ガラス細管の束の周囲から各ガラス細管を加熱するため、束の内部に配置されたガラス細管は加熱されにくく、すべてのガラス細管から効率よく水素を放出させることは困難だった。
【０００６】
本発明は、上述の課題を解決するためになされたものであり、水素貯蔵容器として、比較的軽量な複数の中空ガラス体を用いるとともに、複数の中空ガラス体の内部に封入された水素を効率よく放出可能な水素供給装置を提供することを目的とする。
【課題を解決するための手段】
【０００７】
上述の課題の少なくとも一部を解決するため、本発明では、以下の構成を採用した。本発明の水素供給装置は、所定波長を有する照射光が照射されることによって、水素が透過可能となるガラスからなる中空ガラス体であって、該中空ガラス体の内部に、該中空ガラス体の外部よりも高圧の水素が封入された前記中空ガラス体と、複数の前記中空ガラス体が充填され、前記複数の中空ガラス体から放出された水素を、外部に供給するための供給口を有する容器と、前記容器内に設置され、前記中空ガラス体に対して、前記照射光を照射する照射体と、前記照射体を、前記容器に対して、相対的に移動させる駆動部と、前記駆動部を制御する駆動制御部と、を備えることを要旨とする。
【０００８】
本発明では、先に説明したガラス細管の代わりに、中空ガラス体を用い、この中空ガラス体の内部に高圧水素が封入される。ここで、中空ガラス体を構成するガラスには、所定波長を有する照射光が照射されることによって共振する所定の物質が含まれており、この物質に上記照射光が照射されたときに、物質が共振して分子間の距離が広がることによって、水素が透過可能となる。このような物質としては、例えば、鉄系材料（例えば、Ｆｅ3Ｏ4）が挙げられる。この場合、照射光としては、赤外領域の波長を有する赤外光、例えば、２〜３（μｍ）の波長を有する近赤外光を用いることができる。
【０００９】
なお、上記所定波長、および、ガラスに含まれる上記物質の組み合わせは、適宜選択可能である。また、中空ガラス体の形状は、任意に設定可能であり、照射体を移動させたときの中空ガラス体の容器内での移動のしやすさを考慮して、例えば、球体とすることが好ましい。また、中空ガラス体のサイズ、および、厚さは、容器内への水素の充填効率、中空ガラス体の強度を考慮して、任意に設定可能である。
【００１０】
本発明の水素供給装置では、駆動部が、上記照射体を、容器に対して相対的に移動させるので、照射体は、容器内に充填された複数の中空ガラス体に上記照射光を照射しながら移動する。そして、駆動制御部は、上記照射光が未照射の中空ガラス体に照射光を照射するように、照射体の移動を制御する。したがって、本発明によって、容器内に充填された複数の中空ガラス体から、その内部に封入された水素を効率よく放出させることができる。
【００１１】
なお、本発明において、駆動部は、照射体を、容器に対して、相対的に移動させることが可能であり、容器を固定して、照射体を移動させるようにしてもよいし、照射体を固定して、容器を移動させるようにしてもよい。
【００１２】
上記水素供給装置において、前記駆動部は、前記照射体を、前記容器内で回転させつつ移動させるようにしてもよい。こうすることによって、照射体の移動を比較的容易に行い、上記複数の中空ガラス体から水素を放出させることができる。
【００１３】
上記水素供給装置において、前記照射体は、略棒状の形状を有し、前記照射光を照射する複数のランプからなり、前記複数のランプは、前記容器の中心軸を中心として、放射状に配置されているようにしてもよい。こうすることによって、複数のランプの間から複数の中空ガラス体を通過させつつ、照射体を容器の中心軸に沿って回転移動させることができる。
【００１４】
なお、上記照射体としてのランプの数は、任意に設定可能である。また、容器内に充填されたほぼすべての中空ガラス体から水素を放出させる観点から、ランプの長さは、できるだけ長くすることが好ましい。例えば、容器の形状を円筒形とする場合には、ランプの長さは、容器の内半径とほぼ等しい長さとすることが好ましい。
【００１５】
また、上記水素供給装置において、前記照射体は、前記中空ガラス体が通過可能な貫通孔を備える平板状部材からなるものとしてもよい。こうすることによって、貫通孔から中空ガラス体を通過させつつ、照射体を容器の中心軸に沿って回転移動させることができる。
【００１６】
なお、上記平板上部材からなる照射体のサイズ（外形形状、および、厚さ）や、貫通孔のサイズ、および、貫通孔の数は、任意に設定可能である。
【００１７】
上記水素供給装置において、前記容器内は、前記照射体によって、第１の領域と第２の領域とに区分されており、前記第１の領域に対応する前記容器内の容積、および、前記第２の領域に対応する前記容器内の容積は、前記照射体の移動に伴って、変動するようにすることが好ましい。こうすることによって、上記照射光が照射され、水素を放出済みの中空ガラス体と、上記照射光が未照射であり、水素を未放出の中空ガラス体とを、第１の領域と第２の領域とに区分することができる。
【００１８】
上述したいずれかの水素供給装置において、さらに、前記照射体から照射される前記照射光の単位時間当たりの照射量を制御する照射量制御部を備えるようにしてもよい。こうすることによって、外部からの要求に応じて、複数の中空ガラス体からの単位時間当たりの水素の放出量を制御することができる。
【００１９】
上記いずれかの水素供給装置において、前記供給口は、前記容器の内部から外部への水素の供給時に、前記容器の内部に存在する塵埃を除去するためのフィルタを備えるようにすることが好ましい。
【００２０】
本発明の水素供給装置では、容器の内部に中空ガラス体が充填されており、また、容器の内部に照射体を備え、これを移動させるため、中空ガラス体と容器との摩擦、あるいは、中空ガラス体と照射体との摩擦等によって、塵埃が生じる場合がある。本発明では、この塵埃を除去するためのフィルタを供給口に備えるので、容器内から水素とともに塵埃が外部に供給されることを抑制することができる。
【００２１】
本発明は、上述した種々の特徴を、適宜、組み合わせて構成することもできる。
【発明を実施するための最良の形態】
【００２２】
以下、本発明の実施の形態について、実施例に基づき説明する。
Ａ．第１実施例：
図１は、本発明の一実施例としての水素供給装置１００の概略構成を示す説明図である。図示するように、この水素供給装置１００は、多数の球形状を有する中空ガラス体２０が充填されたケース１０と、ケース１０内に設置された複数の赤外線ランプ３０と、複数の赤外線ランプ３０を回転移動させるための駆動装置４０と、水素供給装置１００の全体の動作を制御するための制御ユニット５０とを備えている。
【００２３】
本実施例では、各中空ガラス体２０は、後述するように、複数の赤外線ランプ３０を回転移動させたときのケース１０内での移動のしやすさや、ケース１０内への水素の充填効率や、中空ガラス体２０の強度を考慮して、直径が数十ミクロン、厚さが数ミクロンの中空の球体とした。そして、各中空ガラス体２０の内部には、約１００（ＭＰａ）の高圧水素が封入されている。
【００２４】
この水素供給装置１００において、中空ガラス体２０内から水素が放出される原理は、以下の通りである。中空ガラス体２０は、二酸化珪素を主成分とし、鉄系材料（例えば、Ｆｅ3Ｏ4）を含むガラスからなり、中空ガラス体２０の内部には、先に説明したように、高圧水素が封入されている。赤外線ランプ３０は、２〜３（μｍ）の波長を有する赤外線（近赤外光）を放射する。赤外線ランプ３０は、本発明における照射体に相当する。そして、中空ガラス体２０に、赤外線ランプ３０からの照射光が照射されると、この照射光によって、中空ガラス体２０を構成するガラスに含まれる鉄系材料が共振して、分子間の距離が広がり、水素が透過可能となる。なお、中空ガラス体２０に赤外線ランプ３０からの照射光を照射して水素が透過可能になる作用は、中空ガラス体２０を構成するガラスに含まれる鉄系材料が上記照射光によって共振することによるものであり、これは、中空ガラス体２０を加熱することによって中空ガラス体２０に含まれる材料を共振させて水素が透過可能になる作用と物理的に等価である。
【００２５】
ケース１０の形状は、本実施例では、略円筒形であるものとした。そして、ケース１０の中心軸には、表面に雄ネジが形成された雄ネジシャフト１６が設置されている。なお、この雄ネジシャフトは、ケース１０に固定されている。そして、この雄ネジシャフト１６には、雄ネジシャフト１６に形成された雄ネジに対応する雌ネジが内部に形成されたナット部材３２が嵌め込まれている。
【００２６】
ナット部材３２には、雄ネジシャフト１６に平行な２つの貫通孔が形成されており（図示省略）、この２つの貫通孔には、ナット部材３２の回転を支持する２本の支持シャフト１７，１８が挿入されている。そして、２本の支持シャフト１７，１８の両端部は、それぞれケース１０の両端部に設けられた軸受部によって、ケース１０に固定された雄ネジシャフト１６を中心として、この雄ネジシャフト１６に対して回転可能に軸支されている。なお、本実施例では、ナット部材３２に形成された貫通孔、および、支持シャフトの数を、それぞれ２つとしたが、これに限られず、これらの数は、任意に設定可能である。
【００２７】
図２は、水素供給装置１００におけるケース１０の内部を、ケース１０の中心軸方向から見た様子を示す断面図である。なお、ここでは、２本の支持シャフト１７，１８の図示は省略している。
【００２８】
図示するように、ケース１０の中心軸には、雄ネジシャフト１６が設置されている。そして、先に説明したように、この雄ネジシャフト１６には、略円筒形のナット部材３２が嵌め込まれている。そして、このナット部材３２の側面には、４本の棒状の赤外線ランプ３０が、ケース１０の中心軸、すなわち、雄ネジシャフト１６の中心軸を中心として、放射状に設置されている。そして、本実施例では、４本の赤外線ランプ３０には、それぞれ２本の支持シャフト１７，１８、および、ナット部材３２等を介して、電力が供給される。
【００２９】
なお、本実施例では、各赤外線ランプ３０の長さは、それぞれケース１０の内半径とほぼ等しいものとした。こうすることによって、赤外線ランプ３０が照射光を照射可能な中空ガラス体２０の数を増大させることができる。また、本実施例では、ナット部材３２の側面に４本の赤外線ランプ３０を配置するものとしたが、これに限られず、赤外線ランプ３０の数は、任意に設定可能である。
【００３０】
図１に戻り、水素供給装置１００の説明を続ける。駆動装置４０は、モータ４２や、ギヤ４４等を備えており、モータ４２の回転によって、２本の支持シャフト１７，１８を、ケース１０に固定された雄ネジシャフト１６の中心軸を中心として回転させ、ナット部材３２、および、赤外線ランプ３０を、雄ネジシャフト１６（中心軸）に沿って回転移動させる。このとき、赤外線ランプ３０からの照射光が照射され、水素を放出済みの中空ガラス体２０は、各赤外線ランプ３０の間を通過する。本実施例では、赤外線ランプ３０は、図示したケース１０内の右側から左側に向かって、雄ネジシャフト１６に沿って回転移動しつつ、複数の中空ガラス体２０に照射光を照射し、中空ガラス体２０に封入された水素を順次放出させる。
【００３１】
したがって、各赤外線ランプ３０が通過した後の、ケース１０内の図示した領域Ｒ２には、各赤外線ランプ３０からの照射光が照射されて、水素を放出済みの中空ガラス体２０が存在し、各赤外線ランプ３０が通過する前の、ケース１０内の図示した領域Ｒ１には、各赤外線ランプ３０からの照射光が未照射であり、水素を未放出の中空ガラス体２０が存在することになる。
【００３２】
なお、本実施例では、各赤外線ランプ３０の位置を検出するための位置検出センサとして、ケース１０の表面に、少なくとも赤外線ランプ３０の移動方向に沿って、複数の温度センサを備えている（図示省略）。これら複数の温度センサによって、ケース１０の温度分布を検出することによって、各赤外線ランプ３０の位置を検出することができる。赤外線ランプ３０からの照射光によって、ケース１０の温度が上昇するので、赤外線ランプ３０の移動に伴って、ケース１０の温度分布が変動し、赤外線ランプ３０近傍のケース１０の温度が最も高くなるからである。このように赤外線ランプ３０の位置を検出することによって、赤外線ランプ３０からの照射光が未照射であり、図示したケース１０の領域Ｒ１に存在する、水素を未放出の中空ガラス体２０の量、すなわち、ケース１０内の水素残量を推定することができる。
【００３３】
制御ユニット５０は、内部にＣＰＵ、ＲＡＭ、ＲＯＭなどを備えるマイクロコンピュータとして構成されており、ＲＯＭに記憶されたプログラムに従って、駆動装置４０の駆動や、各赤外線ランプ３０から照射される照射光量を制御する。駆動装置４０の駆動制御は、例えば、上述した温度センサによって検出された温度分布、すなわち、赤外線ランプ３０の位置に基づいて行われる。また、照射光量の制御は、例えば、各赤外線ランプ３０のオン／オフ制御や、電流制御によって可能である。こうすることによって、要求される水素の供給量に応じて、複数の中空ガラス体２０からの水素の放出量を制御することができる。制御ユニット５０は、本発明における駆動制御部に相当する。
【００３４】
また、ケース１０の端部には、外部に水素を供給するための水素供給口１２が設けられており、この水素供給口１２には、塵埃を除去するためのフィルタ１４が設置されている。本実施例の水素供給装置１００では、ケース１０の内部に中空ガラス体２０が充填されており、また、ケース１０の内部に回転移動する赤外線ランプ３０を備えるため、中空ガラス体２０とケース１０との摩擦、あるいは、中空ガラス体２０と赤外線ランプ３０との摩擦等によって、塵埃が生じる場合があるからである。本実施例の水素供給装置１００では、この塵埃を除去するためのフィルタ１４を水素供給口１２に備えるので、ケース１０の内部から、中空ガラス体２０から放出された水素とともに、塵埃がケース１０の外部に供給されることを抑制することができる。
【００３５】
以上説明した第１実施例の水素供給装置１００では、駆動装置４０が、複数の赤外線ランプ３０を、高圧水素が封入された中空ガラス体２０が充填されたケース１０内を回転移動させるので、複数の赤外線ランプ３０は、ケース１０内に充填された複数の中空ガラス体２０に照射光を照射しながら移動する。そして、制御ユニット５０は、複数の赤外線ランプ３０から照射される照射光が未照射の中空ガラス体に照射光を照射するように、赤外線ランプ３０の回転移動を制御する。したがって、本実施例の水素供給装置１００によって、ケース１０内に充填された複数の中空ガラス体２０から、その内部に封入された水素を効率よく放出させることができる。
【００３６】
Ｂ．第２実施例：
図３は、第２実施例の水素供給装置におけるケース１０の内部を、ケース１０の中心軸方向から見た様子を示す断面図である。第２実施例の水素供給装置は、中空ガラス体２０に照射光（近赤外光）を照射する照射体が、第１実施例の水素供給装置１００と異なっていること以外は、第１実施例の水素供給装置１００と同じである。なお、図３においても、支持シャフト１７，１８の図示は省略している。
【００３７】
図示するように、第２実施例の水素供給装置では、上記照射体として、金属製の円板形状のプレート３０Ａを用いており、このプレート３０Ａの内部には、図示しない赤外線ヒータが内蔵されている。したがって、このプレート３０Ａは、先に説明した赤外線ランプ３０と同様に、近赤外光を放射し、中空ガラス体２０を加熱することができる。プレート３０Ａに適用される材料としては、熱伝導性、および、耐水素脆性が高い材料が好ましい。
【００３８】
また、このプレート３０Ａには、複数の貫通孔３０Ａｈが形成されている。複数の貫通孔３０Ａｈのサイズや、形状や、数や、配置は、プレート３０Ａを雄ネジシャフト１６に沿って回転移動させたときに、中空ガラス体２０が、貫通孔３０Ａｈを通過可能なように、任意に設定可能である。また、プレート３０Ａの厚さを比較的厚くすれば、プレート３０Ａの厚さが比較的薄い場合と比較して、プレート３０Ａの熱容量を増大させることができるため、より多くの中空ガラス体２０を加熱することができる。
【００３９】
なお、本実施例では、プレート３０Ａの直径は、ケース１０の内半径とほぼ等しいものとした。こうすることによって、ケース１０の内壁とプレート３０Ａの外周面との間の空間を通過する中空ガラス体２０の数を減少させ、加熱可能な中空ガラス体２０の数を増大させることができる。
【００４０】
以上説明した第２実施例の水素供給装置によっても、第１実施例の水素供給装置１００と同様に、ケース１０内に充填された複数の中空ガラス体２０から、その内部に封入された水素を効率よく放出させることができる。
【００４１】
Ｃ．第３実施例：
図４は、第３実施例の水素供給装置におけるケース１０の内部を、ケース１０の中心軸方向から見た様子を示す断面図である。第３実施例の水素供給装置は、中空ガラス体２０に照射光（近赤外光）を照射する照射体が、第１実施例の水素供給装置１００と異なっていること以外は、第１実施例の水素供給装置１００と同じである。なお、図４においても、支持シャフト１７，１８の図示は省略している。
【００４２】
図示するように、第３実施例の水素供給装置では、上記照射体として、金属製の３枚の羽根部材３０Ｂを用いており、この羽根部材３０Ｂの内部には、図示しない赤外線ヒータが内蔵されている。したがって、この羽根部材３０Ｂは、先に説明した赤外線ランプ３０と同様に、近赤外光を放射し、中空ガラス体２０を加熱することができる。羽根部材３０Ｂに適用される材料としては、熱伝導性、および、耐水素脆性が高い材料が好ましい。
【００４３】
そして、これら各羽根部材３０Ｂは、それぞれナット部材３２の側面に設置されており、全体としてプロペラ形状をなしている。羽根部材３０Ｂをこのように設置することによって、３枚の羽根部材３０Ｂを雄ネジシャフト１６に沿って回転移動させるときに、中空ガラス体が、複数の羽根部材の間を通過しやすくすることができる。羽根部材３０Ｂのサイズや、形状や、数や、配置は、羽根部材３０Ｂを雄ネジシャフト１６に沿って回転移動させたときに、各羽根部材３０Ｂの間を中空ガラス体２０が通過可能なように、任意に設定可能である。
【００４４】
なお、本実施例では、羽根部材３０Ｂの回転直径は、ケース１０の内径とほぼ等しいものとした。こうすることによって、ケース１０の内壁と羽根部材３０Ｂの外周部との間の空間を通過する中空ガラス体２０の数を減少させ、加熱可能な中空ガラス体２０の数を増大させることができる。
【００４５】
以上説明した第３実施例の水素供給装置によっても、第１実施例の水素供給装置１００と同様に、ケース１０内に充填された複数の中空ガラス体２０から、その内部に封入された水素を効率よく放出させることができる。
【００４６】
Ｄ．第４実施例：
図５は、第４実施例の水素供給装置におけるケース１０の内部を、ケース１０の中心軸に対して垂直な方向から見た様子を示す断面図である。第４実施例の水素供給装置は、中空ガラス体２０に照射光（近赤外光）を照射する照射体が、第１実施例の水素供給装置１００と異なっていること以外は、第１実施例の水素供給装置１００と同じである。なお、図５においても、支持シャフト１７，１８の図示は省略している。
【００４７】
図示するように、第４実施例の水素供給装置では、上記照射体として、金属性の螺旋翼部材３０Ｃを用いており、この螺旋翼部材３０Ｃの内部には、図示しない赤外線ヒータが内蔵されている。したがって、この螺旋翼部材３０Ｃは、先に説明した赤外線ランプ３０と同様に、近赤外光を放射し、中空ガラス体２０を加熱することができる。プレート３０Ａに適用される材料としては、熱伝導性、および、耐水素脆性が高い材料が好ましい。また、螺旋翼部材３０Ｃにおける螺旋翼のサイズや、形状や、数は、螺旋翼部材３０Ｃを雄ネジシャフト１６に沿って回転移動させたときに、中空ガラス体２０が螺旋翼部材３０Ｃの表面に沿って螺旋状に移動可能なように、任意に設定可能である。
【００４８】
なお、本実施例では、螺旋翼部材３０Ｃの回転直径は、ケース１０の内径とほぼ等しいものとした。こうすることによって、ケース１０の内壁と螺旋翼部材３０Ｃの外周部との間の空間を通過する中空ガラス体２０の数を減少させ、加熱可能な中空ガラス体２０の数を増大させることができる。
【００４９】
以上説明した第４実施例の水素供給装置によっても、第１実施例の水素供給装置１００と同様に、ケース１０内に充填された複数の中空ガラス体２０から、その内部に封入された水素を効率よく放出させることができる。
【００５０】
Ｅ．変形例：
以上、本発明のいくつかの実施の形態について説明したが、本発明はこのような実施の形態になんら限定されるものではなく、その要旨を逸脱しない範囲内において種々なる態様での実施が可能である。例えば、以下のような変形が可能である。
【００５１】
Ｅ１．変形例１：
上記実施例では、中空ガラス体２０に照射光を照射する照射体としての４本の赤外線ランプ３０や、円板形状のプレート３０Ａや、３枚の羽根部材３０Ｂや、螺旋翼部材３０Ｃを、雄ネジシャフト１６に沿って回転移動させるものとしたが、本発明は、これに限られない。例えば、照射体をケース１０の中心軸に沿ってスライドさせるだけでもよい。
【００５２】
Ｅ２．変形例２：
上記実施例では、ケース１０を固定して、照射体を雄ネジシャフト１６に沿って回転移動させるものとしたが、本発明は、これに限られない。本発明は、一般に、照射体を、複数の中空ガラス体が充填されたケース１０に対して、相対的に移動するようにすればよい。したがって、中空ガラス体２０が充填されたケース１０を固定して、照射体を移動させるようにしてもよいし、照射体を固定して、中空ガラス体２０が充填されたケース１０を移動させるようにしてもよい。
【００５３】
Ｅ３．変形例３：
上記実施例では、ケース１０の表面に複数の温度センサを設置することによって、照射体の位置を検出するものとしたが、この代わりに、例えば、制御ユニット５０が、雄ネジシャフト１６に形成された雄ネジのピッチと、ナット部材３２の回転数との関係から、照射体の位置を特定する等、他の手法によって、照射体の位置を検出するようにしてもよい。
【００５４】
Ｅ４．変形例４：
上記実施例では、中空ガラス体２０を構成するガラスは、赤外線ランプ３０からの照射光によって共振する鉄系材料を含むものとしたが、本発明は、これに限られない。中空ガラス体２０を構成するガラスは、一般に、照射体から照射される所定波長を有する照射光が照射されることによって共振する所定の物質を含み、照射光が照射されたときに、上記物質が共振して分子間の距離が広がることによって、水素が透過可能となるガラスであればよく、所定波長、および、所定の物質の組み合わせは、適宜選択可能である。
【００５５】
Ｅ５．変形例５：
上記実施例では、中空ガラス体２０は、球体であるものとしたが、本発明は、これに限られない。中空ガラス体２０を、例えば、楕円体等、他の形状としてもよい。
【図面の簡単な説明】
【００５６】
【図１】本発明の一実施例としての水素供給装置１００の概略構成を示す説明図である。
【図２】水素供給装置１００におけるケース１０の内部を、ケース１０の中心軸方向から見た様子を示す断面図である。
【図３】第２実施例の水素供給装置におけるケース１０の内部を、ケース１０の中心軸方向から見た様子を示す断面図である。
【図４】第３実施例の水素供給装置におけるケース１０の内部を、ケース１０の中心軸方向から見た様子を示す断面図である。
【図５】第４実施例の水素供給装置におけるケース１０の内部を、ケース１０の中心軸に対して垂直な方向から見た様子を示す断面図である。
【符号の説明】
【００５７】
１００…水素供給装置
１０…ケース
１２…水素供給口
１４…フィルタ
１６…雄ネジシャフト
１７…支持シャフト
２０…中空ガラス体
３０…赤外線ランプ
３２…ナット部材
３０Ａ…プレート
３０Ａｈ…貫通孔
３０Ｂ…羽根部材
３０Ｃ…羽根部材（螺旋翼）
４０…駆動装置
４２…モータ
４４…ギヤ
５０…制御ユニット
【図１】
2008106789.tif 000003
【図２】
2008106789.tif 000004
【図３】
2008106789.tif 000005
【図４】
2008106789.tif 000006
【図５】
2008106789.tif 000007